(57)【要約】【課題】ＬＥＤ表示盤の大型化又は高精細化の要請に応えて画面のちらつきが気にならない短時間でのＬＥＤの輝度変更を可能とする。【解決手段】本発明の映像制御装置は、映像信号分配器により入力される分配映像信号に、ＬＥＤ表示盤の環境照度に応じた輝度変更信号をフラッシュメモリからＳＲＡＭ上に予め展開しておいた複数のＬＥＤ素子毎の補正データを用いて補正演算した後の輝度変更信号を乗じてＬＥＤ表示信号を編集する複数の制御基板を有している。予め補正データをフラッシュメモリからＳＲＡＭ上に展開しておくことにより、補正データの読み出し時間が短縮できるので、１００万画素を超えるＬＥＤ表示盤の輝度変更の制御が１フレーム１６．６ｍｓ以内で可能になり、画面のちらつきを人に感じさせずに輝度変更を行うことができる。【選択図】図６
2017134180.tif 000002
【特許請求の範囲】
【請求項１】
入力される複数の映像情報を編集して輝度信号を含むＬＥＤ表示信号をＬＥＤ表示盤の画面を構成する複数のＬＥＤ素子を制御する複数のＬＥＤ制御基板へ出力する映像制御装置であって、
入力される複数の映像情報を垂直同期信号、水平同期周波数が出力仕様に合った映像信号に変換して出力するスキャンコンバータと、
前記スキャンコンバータから入力される前記映像信号を分配して分配映像信号として出力する映像信号分配器と、
前記ＬＥＤ表示盤の環境照度に応じた輝度変更信号が入力されると、予めフラッシュメモリからＳＲＡＭ上に展開しておいた複数のＬＥＤ素子毎の補正データを用いて輝度の補正演算をし、補正演算後の輝度変更信号を、前記映像信号分配器から入力される前記分配映像信号に乗じて前記ＬＥＤ表示信号を編集する複数の制御基板と、
を有することを特徴とする映像制御装置。
【請求項２】
前記複数の制御基板のうちの１枚目の制御基板が行う輝度の補正演算の処理は、前記分配映像信号に含まれる第１の垂直同期信号に同期して開始され、前記１枚目の制御基板が行う輝度の補正演算の処理の終了に連続して２枚目以降の制御基板の輝度の補正演算の処理が行われることを特徴とする請求項１に記載の映像制御装置。
【請求項３】
前記補正演算の処理は、前記分配映像信号のＲＧＢ各色諧調と輝度と補正データとの乗算により生成されることを特徴とする請求項２に記載の映像制御装置。
【請求項４】
前記複数の制御基板の全ての制御基板における輝度の補正演算の処理が終了した後の最先の垂直同期信号に同期して、前記輝度の補正演算の処理結果が反映された輝度変更後のＬＥＤ表示信号が前記複数の制御基板から出力されることを特徴とする請求項２に記載の映像制御装置。
【請求項５】
複数の映像情報入力ポートと、輝度変更時基準信号用デジタル・ビジュアル・インタフェースと、輝度変更信号を入力するシリアルインタフェースと、前記輝度変更信号を含むＬＥＤ表示信号を出力する出力ポートと、を有する映像制御装置と、
環境照度を検出する照度センサと、前記映像制御装置から入力される前記ＬＥＤ表示信号によりＬＥＤの輝度変更を行う複数のＬＥＤ制御基板と、を含むＬＥＤ表示盤と、を備え、
前記映像制御装置は、前記ＬＥＤ表示盤の画面を構成する複数のＬＥＤ素子毎の補正データを予めフラッシュメモリからＳＲＡＭ上に展開しておき、前記ＳＲＡＭ上に展開しておいた補正データを用いて輝度の補正演算をし、補正演算後の輝度変更信号を用いて前記ＬＥＤ表示信号を編集することを特徴とする大型映像表示システム。
【請求項６】
環境照度を検出する照度センサと、入力されるＬＥＤ表示信号によって輝度切替を行う複数のＬＥＤ制御基板と、を含むＬＥＤ表示盤の輝度切替方法であって、
前記照度センサが前記ＬＥＤ表示盤の周辺の環境照度を検出し、
複数の制御基板が入力される前記環境照度に応じた輝度変更信号を、予めフラッシュメモリからＳＲＡＭ上に展開しておいた複数のＬＥＤ素子毎の補正データを用いて輝度の補正演算し、補正演算後の輝度変更信号を、映像信号分配器から入力される分配映像信号に乗じてＬＥＤ表示信号を編集し、前記複数のＬＥＤ制御基板に前記ＬＥＤ表示信号を出力することを特徴とするＬＥＤ表示盤の輝度切替方法。
【発明の詳細な説明】
【技術分野】
【０００１】
本発明は、映像制御装置、大型映像表示システム及びＬＥＤ表示盤の輝度切替方法に関する。
【背景技術】
【０００２】
野球場、競馬場等では、多数の発光ダイオード(light emitting diode、以下「ＬＥＤ」という。)により画面が構成されたＬＥＤ大型映像装置が屋外に設置されている。屋外に設置されたＬＥＤ大型映像装置の周辺の照度は、天候の変化や時間の経過と共に時々刻々と変化する。屋外に設置されたＬＥＤ大型映像装置の画面の視認性を確保するためには、周辺の照度の変化に伴って、ＬＥＤ大型映像装置の画面を構成するＬＥＤの輝度を変更をする必要がある。
【０００３】
従来のＬＥＤ表示盤の画素数は５０万画素未満であり、１枚の制御基板でＬＥＤ表示盤全体の制御が可能であった。そのため、１枚の制御基板に接続した制御ＰＣ（パーソナルコンピュータ）からＵＳＢ(Universal Serial Bus)等のシリアル通信でＬＥＤ表示盤の全体の輝度変更を１フレーム１６．６ｍｓ以内で行うことが可能であった。ＬＥＤ表示盤の全体の輝度変更を１フレーム１６．６ｍｓ以内で行った場合には、輝度変更に伴う画面のちらつきを人の目では認識することはできない。
【０００４】
下記特許文献１には、ＬＥＤ表示盤の輝度変更に関して、周囲の明るさに応じて輝度を変更する場合に、異なる変化量で段階的に輝度を変化させるための輝度変化量を算出し、算出した輝度変化量に基づいて複数の表示盤の輝度を同時に変更する輝度変更方法が提案されている。
【先行技術文献】
【特許文献】
【０００５】
【特許文献１】特開２００７−１０１７５６号公報
【発明の概要】
【発明が解決しようとする課題】
【０００６】
特許文献１に記載されたＬＥＤ表示盤の輝度変更方法は、ＬＥＤ表示盤の画素数は５０万画素未満であり、画面全体の輝度変更を１フレーム以内で行うことが可能であった。
【０００７】
近年、ＬＥＤ表示盤の大型化又は高精細の要請がある。特に、２０２０年開催予定の東京オリンピックを見据え、テレビの高解像度化、ハイビジョン、フルハイビジョン等の高精細化に対応するため、フルハイビジョン用に撮影したカメラ映像を表示する、フルハイビジョンに対応した解像度が要求される傾向がある。このようなＬＥＤ表示盤の大型化又は高精細化の要請に応えるためには、ＬＥＤ表示盤全体の画素数を１００万画素以上にする必要がある。
【０００８】
しかし、１枚の制御基板で制御可能な画素数は５０万画素程度が限界であるため、１００万画素を超えるＬＥＤ表示盤全体の輝度変更を行うには、１台の制御ＰＣから複数枚の制御基板を制御して輝度変更する必要がある。１台の制御ＰＣから複数枚の制御基板をシリアル通信で制御して輝度変更するには、輝度変更の制御が１フレーム１６．６ｍｓ以内では収まらず、２フレームに跨ってしまう。この場合、ＬＥＤ表示盤全体のＬＥＤの輝度が変更されるのは、３フレーム目以降になるため、輝度変更時間が長くなり、画面がちらついて見えるという課題があった。
【０００９】
そこで、本発明は、ＬＥＤ表示盤の大型化又は高精細化の要請に応えて、画面のちらつきが気にならない短時間で輝度変更を可能とする映像制御装置、大型映像表示システム及びＬＥＤ表示盤の輝度切替方法を提供することを目的とする。
【課題を解決するための手段】
【００１０】
本発明の第１の側面の映像制御装置は、入力される複数の映像情報を編集して輝度信号を含むＬＥＤ表示信号をＬＥＤ表示盤の画面を構成する複数のＬＥＤ素子を制御する複数のＬＥＤ制御基板へ出力する映像制御装置であって、入力される複数の映像情報を垂直同期信号、水平同期周波数が出力仕様に合った映像信号に変換して出力するスキャンコンバータと、前記スキャンコンバータから入力される前記映像信号を分配して分配映像信号として出力する映像信号分配器と、前記ＬＥＤ表示盤の環境照度に応じた輝度変更信号が入力されると、予めフラッシュメモリからＳＲＡＭ上に展開しておいた複数のＬＥＤ素子毎の補正データを用いて輝度の補正演算をし、補正演算後の輝度変更信号を、前記映像信号分配器から入力される前記分配映像信号に乗じて前記ＬＥＤ表示信号を編集する複数の制御基板と、を有することを特徴とする。
【００１１】
第２の側面の大型映像表示システムは、複数の映像情報入力ポートと、輝度変更時基準信号用デジタル・ビジュアル・インタフェースと、輝度変更信号を入力するシリアルインタフェースと、前記輝度変更信号を含むＬＥＤ表示信号を出力する出力ポートと、を有する映像制御装置と、環境照度を検出する照度センサと、前記映像制御装置から入力される前記ＬＥＤ表示信号によりＬＥＤの輝度変更を行う複数のＬＥＤ制御基板と、を含むＬＥＤ表示盤と、を備え、前記映像制御装置は、前記ＬＥＤ表示盤の画面を構成する複数のＬＥＤ素子毎の補正データを予めフラッシュメモリからＳＲＡＭ上に展開しておき、前記ＳＲＡＭ上に展開しておいた補正データを用いて輝度の補正演算をし、補正演算後の輝度変更信号を用いて前記ＬＥＤ表示信号を編集することを特徴とする。
【００１２】
第３の側面のＬＥＤ表示盤の輝度切替方法は、環境照度を検出する照度センサと、入力されるＬＥＤ表示信号によって輝度切替を行う複数のＬＥＤ制御基板と、を含むＬＥＤ表示盤の輝度切替方法であって、前記照度センサが前記ＬＥＤ表示盤の周辺の環境照度を検出し、複数の制御基板が入力される前記環境照度に応じた輝度変更信号を、予めフラッシュメモリからＳＲＡＭ上に展開しておいた複数のＬＥＤ素子毎の補正データを用いて輝度の補正演算をし、補正演算後の輝度変更信号を、前記映像信号分配器から入力される前記分配映像信号に乗じて前記ＬＥＤ表示信号を編集し、前記複数のＬＥＤ制御基板に前記ＬＥＤ表示信号を出力することを特徴とする。
【発明の効果】
【００１３】
本発明の映像制御装置は、映像信号分配器により入力される分配映像信号に、ＬＥＤ表示盤の環境照度に応じた輝度変更信号を予めフラッシュメモリからＳＲＡＭ上に展開しておいた複数のＬＥＤ素子毎の補正データを用いて補正演算した後の輝度変更信号を乗じてＬＥＤ表示信号を編集する複数の制御基板を有している。補正データを予めフラッシュメモリからＳＲＡＭ上に展開しておくことにより、補正データの読み出し時間が短縮できるので、１００万画素を超えるＬＥＤ表示盤の輝度変更の制御が１フレーム１６．６ｍｓ以内で可能になり、画面のちらつきを人に感じさせずに輝度変更を行うことができる映像制御装置、大型映像表示システム及びＬＥＤ表示盤の輝度切替方法を提供することが可能となる。
【図面の簡単な説明】
【００１４】
【図１】本発明の実施形態の大型映像表示システムのシステム構成例を示す図である。
【図２】図１中の映像制御装置の概略を示す機能ブロック図である。
【図３】映像制御装置内に３枚の制御基板を搭載した場合の各制御基板の制御解像度を説明する図である。
【図４】従来技術における輝度変更後のＬＥＤ表示信号の生成方法を説明する図である。
【図５】従来技術における輝度変更のタイミングを説明する図である。
【図６】本発明の実施形態における輝度変更後のＬＥＤ表示信号の生成方法を説明する図である。
【図７】本発明の実施形態の輝度変更のタイミングを説明する図である。
【発明を実施するための形態】
【００１５】
以下、図面に従って本発明の実施形態を説明する。
（実施形態のシステム構成）
図１は、本発明の実施形態の大型映像表示システムのシステム構成例を示す図である。
【００１６】
本発明の実施形態の大型映像表示システムは、入力される複数の映像情報を編集して輝度変更信号を含むＬＥＤ表示信号を例えば、３枚のＬＥＤ制御基板２２ａ（２２），２２ｂ，２２ｃに出力する映像制御装置１０を有している。図１に示したシステム構成例では、ＬＥＤ制御基板２２は３枚であるが、ＬＥＤ表示盤２０の画面の大型化又は高精細化に伴い増加するＬＥＤ画素数に合わせてＬＥＤ制御基板２２の枚数を、例えば４枚、５枚等に増やして構成しても良い。以下、ＬＥＤ制御基板２２の枚数を３枚として大型映像表示システムを説明する。
【００１７】
映像制御装置１０には、ＤＶＩ(Digital Visual Interface)により、例えば、出走馬、オッズ制御ＰＣ（パーソナルコンピュタ）１が接続されている。出走馬、オッズ制御ＰＣ１は、出走馬やオッズ情報に関する映像情報を映像制御装置１０に提供する。
【００１８】
又、映像制御装置１０には、ＨＤ−ＳＤＩ(High Definition Serial Digital Interface)により、例えば、カメラ中継装置２及び映像配信装置３がそれぞれ接続されている。ＨＤ−ＳＤＩは、放送用ハイビジョンデジタルＶＴＲで多く採用されている信号規格であり、カメラ中継装置２は、例えば、フルハイビジョン用に撮影したカメラ映像を映像情報として映像制御装置１０に提供する。又、映像配信装置３は、例えば、フルハイビジョンに対応した解像度の映像情報を映像制御装置１０に提供する。
【００１９】
又、映像制御装置１０の出力側には、ＬＥＤ表示盤２０が接続されている。ＬＥＤ表示盤２０は、自身の環境照度を検出する照度センサ２１と、画面を構成する複数のＬＥＤ素子を制御する複数のＬＥＤ制御基板２２ａ（２２），２２ｂ，２２ｃを有している。
【００２０】
映像制御装置１０と３枚のＬＥＤ制御基板２２ａ，２２ｂ，２２ｃとは、信号線１５ａ，１５ｂ，１５ｃでそれぞれ接続されている。信号線１５ａを介してＬＥＤ表示盤２０から映像制御装置１０へアラーム、照度値、断線検知信号が出力され、映像制御装置１０からＬＥＤ表示盤２０へ輝度信号を含むＬＥＤ表示信号が出力される。
【００２１】
又、信号線１５ｂを介してＬＥＤ表示盤２０から映像制御装置１０へアラーム、断線検知信号が出力され、映像制御装置１０からＬＥＤ表示盤２０へ輝度信号を含むＬＥＤ表示信号が出力される。信号線１５ｃを介してＬＥＤ表示盤２０から映像制御装置１０へアラーム、断線検知信号が出力され、映像制御装置１０からＬＥＤ表示盤２０へ輝度信号を含むＬＥＤ表示信号が出力される。
【００２２】
ここで、アラームは、３枚のＬＥＤ制御基板２２ａ，２２ｂ，２２ｃ内での障害情報であり、断線検知信号は、３枚のＬＥＤ制御基板２２ａ，２２ｂ，２２ｃ内で検知された断線、断線箇所を知らせる信号である。
【００２３】
更に、映像制御装置１０には、輝度変更時の基準信号用ＤＶＩ及び例えば、ＵＳＢ、ＲＳ２３２Ｃ等のシリアルインタフェースを介して、ＬＥＤ表示盤２０の画面を構成するＬＥＤ素子の輝度変更等の制御を行う制御ＰＣ（パーソナルコンピュータ）５が接続されている。
【００２４】
制御ＰＣ５は、信号線１５ａを介して映像制御装置１０に入力される照度値を取り込んで、照度値に応じた輝度変更信号を演算して出力する。制御ＰＣ５における照度値に応じた輝度変更信号の演算は、例えば、照度値から輝度変更信号へ変換するテーブルを用いて演算する方法や、照度値から輝度変更信号へ変換する変換式等により行われる。
【００２５】
更に、制御ＰＣ５は、ＬＥＤ表示盤２０を監視する機能を有してる。制御ＰＣ５は、例えば、映像制御装置１０に対して断線検知命令を出力してＬＥＤ表示盤２０から断線検知信号を取得すると共に、アラーム情報取得信号を出力してＬＥＤ表示盤２０からアラームを取得する。
【００２６】
（映像制御装置の構成）
図２は、図１中の映像制御装置の概略を示す機能ブロック図である。
【００２７】
映像制御装置１０は、入力される複数の映像情報を合成、切取り、解像度変換等を行い、垂直同期信号、水平同期周波数が出力仕様に合った映像信号に変換して出力するスキャンコンバータ１１と、スキャンコンバータ１１からＤＶＩを介して入力される映像信号を分配して分配映像信号として出力する映像信号分配器１２と、制御ＰＣ５から輝度変更命令がされると、分配映像信号に輝度変更信号を乗じてＬＥＤ表示信号を編集する３枚の制御基板１３ａ（１３），１３ｂ，１３ｃと、を有している。３枚の制御基板１３ａ，１３ｂ，１３ｃは、３枚のＬＥＤ制御基板２２ａ，２２ｂ，２２ｃにそれぞれ接続されている。
【００２８】
制御基板１３ａ，１３ｂ，１３ｃは、制御ＰＣ５とＵＳＢ等のシリアルインタフェースにより接続されている。制御ＰＣ５から制御基板１３ａ，１３ｂ，１３ｃに輝度変更の命令がされると、制御基板１３ａ，１３ｂ，１３ｃはそれぞれ輝度信号を含むＬＥＤ表示信号を生成し、対応するＬＥＤ制御基板２２ａ，２２ｂ，２２ｃへ出力する。３枚のＬＥＤ制御基板２２ａ，２２ｂ，２２ｃは、ＬＥＤ表示盤２０の画面を構成する対応するＬＥＤ素子の輝度を照度センサ２１が検知した照度値に応じた輝度に変更する。
【００２９】
制御基板１３ａ，１３ｂ，１３ｃのＬＥＤ表示信号の生成方法については、後述する。
（実施形態の動作）
本発明の実施形態の大型映像表示システムにおける輝度切替処理について、（Ｉ）制御基板当たりの制御解像度と、(II)従来技術における輝度切替の処理と、(III)本発明の実施形態における輝度切替の処理と、に分けて説明する。
【００３０】
（Ｉ）制御基板当たりの制御解像度
図３は、映像制御装置内に３枚の制御基板を搭載した場合の各制御基板の制御解像度を説明する図である。
【００３１】
ＬＥＤ表示盤２０は、フルハイビジョンの映像を高精彩に表示するためにＬＥＤ表示盤２０の画面全体で、例えば、１２８０ドット×１５３６ドット＝１，９６６，０８０ドットのＬＥＤ素子数(画素数)を有している。１枚の制御基板で輝度変更の制御が可能な画素数は、５０万画素程度であるため、ＬＥＤ表示盤２０の画面全体が３つの領域に分割され、３枚のＬＥＤ制御基板２２ａ，２２ｂ，２２ｃから構成されている。ＬＥＤ表示盤２０の画面全体を３つの領域に分割した場合、各ＬＥＤ制御基板２２ａ，２２ｂ，２２ｃで制御する１枚当たりのＬＥＤ素子数(画素数)は、１２８０ドット×５１２ドット＝６５５，３６０ドットとなる。
【００３２】
(II)従来技術における輝度切替の処理
図４は、従来技術における輝度変更後のＬＥＤ表示信号の生成方法を説明する図である。
【００３３】
従来技術における制御基板３０は、基板全体の制御を行うＣＰＵ(Central Processing Unit)３１と、６５５，３６０ドットの画素毎のＲＧＢの明るさの補正値を補正データとして格納する３つのフラッシュメモリ(Flash Memory)３２と、ＲＧＢ各色諧調と、輝度と、補正データを乗算して輝度変更後のＬＥＤ表示信号を生成する演算回路３３と、を有している。
【００３４】
演算回路３３は、ＤＶＩ分配器１２から入力される垂直同期信号VSYNCを含む分配映像信号におけるＲＧＢ各階調と、制御ＰＣ５からＣＰＵ３１を介して入力される輝度と、制御ＰＣ５からＣＰＵ３１に輝度変更信号入力される毎に、ＣＰＵ３１から３つのＦＬＡＳＨメモリ３２に対し補正データの読み出し要求がされ、３つのフラッシュメモリ３２から読み出されて入力されるＲＧＢ３色の補正データと、を乗算して、輝度変更後のＬＥＤ表示信号を生成する。垂直同期信号VSYNCは、テレビやディスプレイで画面を描画する際に、垂直方向のタイミングを計るための信号である。この垂直同期信号VSYNCに同期してＬＥＤの輝度変更が行われる。
【００３５】
ここで、各ドットの補正データは８ビット、フラッシュメモリ３２は、１６ビットデータとし、フラッシュメモリ３２のアクセススピードを２５ｎｓとする。フラッシュメモリ３２は、１６ビットアクセスのため、１回で２ドット分読み出しＲＧＢ各色の補正データは並行して同時に読み出しを行う。
【００３６】
制御基板１枚当たりの制御解像度は、１２８０ビット×５１２ビット＝６５５，３６０としているため、６５５，３６０ドット分の補正データを読み出す必要がある。
【００３７】
従って、補正データの読み出し時間は、６５５，３６０×２５ｎｓ÷２≒８．２ｍｓとなる。
【００３８】
図５は、従来技術における輝度変更のタイミングを説明する図である。
次に、図４を参照しつつ、図５を用い、従来技術における輝度変更のタイミングについて説明する。
【００３９】
図４中の制御基板３０内のＣＰＵ３１が、図示しない制御ＰＣからＵＳＢ通信で与えられる輝度変更信号を受信するのに、０．５ｍｓの時間を要している。補正データの読み出しには、上述したように、８．２ｍｓの時間を要し、ＣＰＵ３１が処理完了応答を返すのに０．５ｍｓの期間を要する。従って、１枚の制御基板３０当たり、合計８．３ｍｓの処理時間を要している。
【００４０】
２枚及び３枚目の制御基板３０についても、１枚目の制御基板３０と同様に、それぞれ合計８．３ｍｓの処理時間を要している。
【００４１】
１枚目の制御基板３０に対応する処理時間８．３ｍｓは、６０Ｈｚに対応する１フレーム（１６．６ｍｓ）以内に収まっているが、１枚目の制御基板３０に対応する処理と、２枚目の制御基板３０に対応する処理との間に、空白の未処理時間があるため、１枚目と２枚目の制御基板３０を合わせた輝度変更のための処理時間は、１フレーム（１６．６ｍｓ）以内に収まらない。更に、１枚目〜３枚目の制御基板３０に対応する処理時間は、１フレームと２フレームに跨っている。
【００４２】
ＬＥＤ表示信号に輝度変更信号を反映する処理が終了したフレームの次のフレームの垂直同期信号VSYNCに同期して輝度変更後のＬＥＤ表示信号に切替り、輝度変更が実行される。１枚目の制御基板３０に対応する処理は、第１フレームに収まっているので、１枚目の制御基板３０の出力データは、第２フレームから輝度変更後のＬＥＤ表示信号に切替る。一方、２枚目及び３枚目の制御基板３０に対応する処理は、第１フレームから第２フレームに跨っているため、第２フレームでは、輝度変更前のＬＥＤ表示信号のままであり、第３フレームから輝度変更後のＬＥＤ表示信号に切替る。
【００４３】
このように、従来技術におけるＬＥＤ表示信号の生成方法で、輝度変更の制御を行うと、ＬＥＤ表示盤２０を構成する画面の内、１枚目の制御基板３０に対応するＬＥＤ素子の輝度変更は、第２フレームで行われるが、２枚目及び３枚目の制御基板３０に対応するＬＥＤ素子の輝度変更は、第３フレームで行われることになり、人の目に画面がちらついて見えてしまう。
【００４４】
以下、画面のちらつきが気にならない短時間で輝度切替を行う本発明の実施形態における輝度切替の処理について説明する。
【００４５】
(III)本発明の実施形態における輝度切替の処理
図６は、本発明のにおける輝度変更後のＬＥＤ表示信号の生成方法を説明する図である。
【００４６】
制御基板１３は、基板全体の制御を行うＣＰＵ４１と、６５５，３６０ドットの画素毎のＲＧＢの明るさの補正値を補正データとして格納する３つのフラッシュメモリ４２と、フラッシュメモリ４２に格納されている補正データをＲＧＢ各色毎に、予め展開しておく３つのＳＲＡＭ(Static Random Access Memory)４３と、ＲＧＢ各色諧調と、輝度と、補正データを乗算して輝度変更後のＬＥＤ表示信号を生成する演算回路４４と、を有している。
【００４７】
電源起動後、フラッシュメモリ４２に格納されているＲＧＢ３色の補正データは、予めＳＲＡＭ４３に展開しておく。
【００４８】
演算回路４４は、ＤＶＩ分配器１２から入力される分配映像信号におけるＲＧＢ各階調と、制御ＰＣ５からＣＰＵ４１を介して入力される輝度と、予めＳＲＡＭ４３に展開しておいたＲＧＢ３色の補正データと、を乗算して、輝度変更後のＬＥＤ表示信号を生成する。
【００４９】
ここで、各ドットの補正データは８ビット、ＳＲＡＭ４３は、１６ビットデータとし、ＳＲＡＭ４３のアクセススピードを１０ｎｓとする。又、ＳＲＡＭ４３は、ＲＧＢ各色１個ずつ搭載する。ＳＲＡＭ４３は、１６ビットアクセスのため、１回で２ドット分読み出しＲＧＢ各色の補正データは並行して同時に読み出しを行う。
【００５０】
制御基板１枚当たりの制御解像度は、１２８０ビット×５１２ビット＝６５５，３６０としているため、６５５，３６０ドット分の補正データを読み出す必要がある。
【００５１】
従って、補正データの読み出し時間は、６５５，３６０×１０ｎｓ÷２≒３．３ｍｓとなる。
【００５２】
図７は、本発明の実施形態における輝度変更のタイミングを説明する図である。
次に、図６を参照しつつ、図７を用い、本発明の実施形態における輝度変更のタイミングについて説明する。
【００５３】
図６中の制御基板１３内のＣＰＵ４１が、制御ＰＣ５から輝度変更信号を受信するのに、０．５ｍｓの時間を要している。補正データの読み出しには、上述したように、３．３ｍｓの時間を要し、ＣＰＵ４１が処理完了応答を返すのに０．５ｍｓの期間を要する。１枚の制御基板１３ａ当たり、合計３．４ｍｓの処理時間を要している。
【００５４】
２枚及び３枚目の制御基板１３ｂ，１３ｃについても、１枚目の制御基板１３ａと同様に、それぞれ合計３．４ｍｓの処理時間を要している。
【００５５】
１枚目の制御基板１３ａに対応する処理は、垂直同期信号VSYNCに同期して開始され、３．４ｍｓで処理が終了し、連続して２枚目の制御基板１３ｂに対応する処理が３．４ｍｓで実行され、更に、２枚目の制御基板１３ｂに対応する処理が終了すると、連続して３枚目の制御基板１３ｃに対応する処理が３．４ｍｓで実行されている。その結果、３枚の制御基板１３を合わせた輝度変更に要する処理時間は、３．４ｍｓ×３≒１０．２ｍｓとなり、１６．６ｍｓの第１フレーム内で輝度変更の処理が終了する。
【００５６】
これにより、３枚の制御基板１３ａ，１３ｂ，１３ｃからの出力データは、第２フレーム目から垂直同期信号VSYNCに同期して、輝度変更後のＬＥＤ表示信号に一斉に切替る。
（実施形態の効果）
本発明の実施形態の映像制御装置は、分配映像信号に、ＬＥＤ表示盤の環境照度に応じた輝度変更信号を予めフラッシュメモリからＳＲＡＭ上に展開しておいた複数のＬＥＤ素子毎の補正データを用いて補正演算した後の輝度変更信号を乗じてＬＥＤ表示信号を編集する複数の制御基板を有している。予め補正データをフラッシュメモリからＳＲＡＭ上に展開しておくことで、補正データの読み出し時間が短縮できるので、１００万画素を超えるＬＥＤ表示盤の輝度変更の制御が１フレーム１６．６ｍｓ以内で可能になり、画面のちらつきを人に感じさせずに輝度変更を行うことができる。
【００５７】
更に、複数の制御基板が複数のＬＥＤ制御基板に対して出力するＬＥＤ表示信号のタイミングは、垂直同期信号に同期して１枚目の輝度変更信号を出力し、２枚目以降のＬＥＤ制御基板に対し、１枚目のＬＥＤ表示信号に連続して２枚目以降のＬＥＤ表示信号をそれぞれ出力するようにしている。これにより、更に、輝度変更に要する処理時間を短縮することができる。
【００５８】
以上、本発明の実施形態について説明したが、本発明は、上述した実施形態に限定されるものではなく、本発明の要旨を逸脱しない範囲内で種々の構成又は実施形態を採ることができる。
【符号の説明】
【００５９】
１                                      出走馬、オッズ制御ＰＣ
２                                      カメラ中継装置
３                                      映像配信装置
５                                      制御ＰＣ
１０                                      映像制御装置
１１                                      スキャンコンバータ
１２                                      ＤＶＩ分配器
１３，１３ａ，１３ｂ，１３ｃ，３０        制御基板
２０                                      ＬＥＤ表示盤
２１                                      照度センサ
２２，２２ａ，２２ｂ，２２ｃ              ＬＥＤ制御基板
３１，４１                                ＣＰＵ
３２，４２                                フラッシュメモリ
３３，４４                                演算回路
４３                                      ＳＲＡＭ
【図１】
2017134180.tif 000003
【図２】
2017134180.tif 000004
【図３】
2017134180.tif 000005
【図４】
2017134180.tif 000006
【図５】
2017134180.tif 000007
【図６】
2017134180.tif 000008
【図７】
2017134180.tif 000009